(57)【要約】【課題】連続した通信線に通信制御ＩＣ内蔵コネクタを接続していくだけで、デイジーチェーンの配線回路を容易に形成できる。【解決手段】通信制御ＩＣ内蔵コネクタのコネクタハウジング内に、デイジーチェーン配線回路と接続される通信制御ＩＣが収容され、該通信制御ＩＣの一対の第１、第２トランシーバと接続される通信線接続側第１、第２リード部に第１、第２切断刃付き圧接端子が接続され、前記第１、第２切断刃付き圧接端子の各切断刃を隣接配置して連続した通信線を切断し、該切断で分割された両側の通信線に前記第１、第２切断刃付き圧接端子を圧接刃で圧接接続してデイジーチェーン配線回路と前記通信制御ＩＣを接続している。【選択図】図４
2012074210.tif 000002
【特許請求の範囲】
【請求項１】
通信ネットワークを構成する通信線と通信制御ＩＣ内蔵コネクタとを接続すると共に、該通信制御ＩＣ内蔵コネクタを電装機器側のコネクタと接続して電装機器をデータ通信により独立して分散制御する車両通信制御システムにおける通信制御ＩＣ内蔵コネクタと通信線の接続構造であって、
前記通信制御ＩＣ内蔵コネクタのコネクタハウジング内に、デイジーチェーン配線回路と接続される通信制御ＩＣが収容され、該通信制御ＩＣの一対の第１、第２トランシーバと接続される通信線接続側第１、第２リード部に第１、第２切断刃付き圧接端子が接続され、
前記第１、第２切断刃付き圧接端子の各切断刃を隣接配置して連続した通信線を切断し、該切断で分割された両側の通信線に前記第１、第２切断刃付き圧接端子を圧接刃で圧接接続してデイジーチェーン配線回路と前記通信制御ＩＣを接続している通信制御ＩＣ内蔵コネクタと通信線の接続構造。
【請求項２】
前記第１、第２切断刃付き圧接端子は導電性金属片を屈曲加工して形成され、前記圧接刃により前記通信線の絶縁被覆を切断して芯線と接触させる圧接工程時に同時に前記切断刃で前記通信線を切断できる形状としている請求項１に記載の通信制御ＩＣ内蔵コネクタと通信線の接続構造。
【請求項３】
前記コネクタハウジングの通信線接続側に被せるカバー材を設け、該カバー材の内面に通信線配線溝を設けると共に、該通信線配線溝の中間部に切断部収容凹部を連続して設けており、
前記第１、第２切断刃付き圧接端子の切断刃は前記切断部収容凹部の両側部分に突出し、前記通信線の切断部分は切断部収容凹部に収容保持され、前記通信線配線溝に圧接刃が挿入保持される請求項１または請求項２に記載の通信制御ＩＣ内蔵コネクタと通信線の接続構造。
【発明の詳細な説明】
【技術分野】
【０００１】
本発明は通信制御ＩＣ内蔵コネクタと通信線の接続構造に関し、詳しくは、連続した通信線に通信制御ＩＣ内蔵コネクタを接続していくだけで、デイジーチェーンの配線回路が容易に形成できるものである。
【背景技術】
【０００２】
近年、車両に搭載される電装機器をデータ通信により独立して分散制御する車両通信制御システムが採用されている。この車両通信制御システムを形成するために、通信制御回路基板や通信制御ＩＣが内蔵され通信ネットワークを構成する通信線と接続されるコネクタが用いられている。該コネクタは電装機器側のコネクタと接続され、電装機器の分散制御を可能としている。
【０００３】
例えば、特開２００６−２８６５９６号公報（特許文献１）で開示されている通信制御ＩＣ内蔵コネクタ１００は、図５に示されているように、コネクタハウジング１０１内にバス配線回路と接続される通信制御ＩＣ１０２を組み込んでいる。コネクタハウジング１０１には、通信制御ＩＣ１０２の機器接続側リード部１０３と機器側コネクタの雄端子（図示せず）とを接続する雌端子１０５が組み込まれた機器側接続部１０１ａを設けていると共に、通信制御ＩＣ１０２のバス配線接続側リード部１０４とバス配線回路の通信線Ｗとを接続する圧接端子１０６が組み込まれたバス配線側接続部１０１ｂを設けている。前記バス配線側接続部１０１ｂに組み込まれる圧接端子１０６の上部にはバス配線接続側リード部１０４と接続したブリッジ接続子１０８の雄端子部１０８ａが挿入される雌端子部１０７を設けており、電線Ｗに圧接端子１０６を圧接刃で圧接接続することによって、通信制御ＩＣ内蔵コネクタ１００をバス配線回路の通信線Ｗに接続し、通信制御ＩＣ内蔵コネクタ１００と電装機器との接続も可能としている。
【先行技術文献】
【特許文献】
【０００４】
【特許文献１】特開２００６−２８６５９６号公報
【発明の概要】
【発明が解決しようとする課題】
【０００５】
一方、複数の電装機器を通信線で接続する方式としては、図６（Ａ）のように、各電装機器４００とそれぞれ接続した通信制御ＩＣ内蔵コネクタ１００を１本の幹線（バス）Ｗから枝分かれした配線で接続するバス配線や、図６（Ｂ）のように、各電装機器４１０と接続した通信制御ＩＣ内蔵コネクタ１１０間を通信線ｗで順に繋いでいくデイジーチェーン配線などがある。
コネクタ１００に内蔵されるバス配線回路と接続される通信制御ＩＣ１０２では、機器接続側リード部１０３と接続されるコントローラ２００と、バス配線接続側リード部１０４と接続されるトランシーバ３００が１対１で接続され、トランシーバ３００でバスＷからの全ての通信データを送受信し、コントローラ２００で必要な通信データのみを処理している。
一方、コネクタ１１０に内蔵されるデイジーチェーン配線回路と接続される通信制御ＩＣ１１２では、機器接続側リード部１１３と接続されるコントローラ２１０に、通信線接続側リード部１１４ａ、１１４ｂとそれぞれ接続される一対の第１、第２トランシーバ３１０ａ、３１０ｂが接続され、前記第１トランシーバ３１０ａは隣接配置されるコネクタの第２トランシーバ３１０ｂとの間で通信データの送受信を行い、前記第２トランシーバ３１０ｂは隣接配置されるコネクタの第１トランシーバ３１０ａとの間で通信データの送受信を行っている。コントローラ２１０は各トランシーバ３１０ａ、３１０ｂで送受信した必要な通信データのみを処理している。
【０００６】
前記特許文献１の接続構造、即ち、図７（Ａ）のように、コネクタ１００毎にトランシーバ３００と接続されるバス配線接続側リード部１０４を圧接端子１０６でバス通信線Ｗと圧接接続していくことにより、図６（Ａ）のバス配線回路を容易に形成することができ、通信制御上も問題は生じない。
しかし、前記特許文献１の接続構造を参照して、通信制御ＩＣ１１２の一対の第１、第２トランシーバ３１０ａ、３１０ｂと接続される一対の通信線接続側リード部１１４ａ、１１４ｂを圧接端子１１６ａ、１１６ｂで通信線Ｗと圧接接続した場合［図７（Ｂ）］、図６（Ｂ）のようなデイジーチェーン配線回路を形成することができず、圧接端子１１６ａ、１１６ｂ間の通信線Ｗ１を介して第１、第２トランシーバ３１０ａ、３１０ｂに不必要な通信データの送受信が行われ、電装機器の誤作動が生じてしまうおそれがある。
一方、図６（Ｂ）のように、コネクタ間を別の通信線ｗで順次繋いでいく方法では作業性があまり良くないという問題がある。
【０００７】
本発明は、デイジーチェーンの配線回路を容易かつ確実に形成できる通信制御ＩＣ内蔵コネクタと通信線の接続構造を提供することを課題としている。
【課題を解決するための手段】
【０００８】
前記課題を解決するため、通信ネットワークを構成する通信線と通信制御ＩＣ内蔵コネクタとを接続すると共に、該通信制御ＩＣ内蔵コネクタを電装機器側のコネクタと接続して電装機器をデータ通信により独立して分散制御する車両通信制御システムにおける通信制御ＩＣ内蔵コネクタと通信線の接続構造であって、
前記通信制御ＩＣ内蔵コネクタのコネクタハウジング内に、デイジーチェーン配線回路と接続される通信制御ＩＣが収容され、該通信制御ＩＣの一対の第１、第２トランシーバと接続される通信線接続側第１、第２リード部に第１、第２切断刃付き圧接端子が接続され、
前記第１、第２切断刃付き圧接端子の各切断刃を隣接配置して連続した通信線を切断し、該切断で分割された両側の通信線に前記第１、第２切断刃付き圧接端子を圧接刃で圧接接続してデイジーチェーン配線回路と前記通信制御ＩＣを接続している通信制御ＩＣ内蔵コネクタと通信線の接続構造を提供している。
【０００９】
通信制御ＩＣ内蔵コネクタのデイジーチェーン配線回路と接続される通信制御ＩＣは、通信制御ＩＣの機器接続側リード部と接続されるコントローラを備えると共に、該コントローラと接続される１対の第１、第２トランシーバを備えている。本発明では、前記のように、通信制御ＩＣの第１、第２トランシーバと接続される通信線接続側第１、第２リード部に第１、第２切断刃付き圧接端子をそれぞれ接続すると共に、該第１、第２切断刃付き圧接端子の切断刃を隣接配置させている。この構成により、通信線接続側第１、第２リード部に接続した第１、第２切断刃付き圧接端子を、連続した通信線にそれぞれ圧接刃で圧接接続できると共に、前記隣接配置させた切断刃によって前記圧接接続箇所間の通信線を切断することができる。言い換えれば、連続した通信線を前記隣接配置させた切断刃で切断できると共に、切断で分割された両側の通信線に、前記通信線接続側第１、第２リード部に接続した第１、第２切断刃付き圧接端子を圧接刃で圧接接続することができる。
【００１０】
したがって、接続する複数の通信制御ＩＣ内蔵コネクタについて、コネクタ毎に前記第１、第２切断刃付き圧接端子を連続した通信線にそれぞれ圧接接続していくだけで、第１トランシーバと隣接配置されるコネクタの第２トランシーバとを接続し、第２トランシーバと隣接配置されるコネクタの第１トランシーバとを接続することができ、デイジーチェーン配線回路を容易かつ確実に形成することができる。よって、第１、第２トランシーバに不必要な通信データの送受信を防止して、電装機器の誤作動を防止することができる。また、隣接配置されるコネクタの第１トランシーバと第２トランシーバとを接続するためにコネクタ間を別の通信線で順次繋いでいく必要がないため、作業性も向上する。
【００１１】
前記第１、第２切断刃付き圧接端子は導電性金属片を屈曲加工して形成され、前記圧接刃により前記通信線の絶縁被覆を切断して芯線と接触させる圧接工程時に同時に前記切断刃で前記通信線を切断できる形状としていることが好ましい。
【００１２】
前記第１、第２切断刃付き圧接端子の切断刃は、スロットを切り込んた圧接刃の形成面と所定の隙間をあけて略平行に形成され、切断刃の形状は、先端を鋭利な刃物状とすることが好ましい。また、第１、第２切断刃付き圧接端子の材質としては、強度を上げるために鉄や亜鉛を含有させた銅合金とすることも好ましい。
【００１３】
通信線と圧接接続される前記第１、第２切断刃付き圧接端子の他端側は通信線接続側第１、第２リード部と接続されるが、該リード部と接続する方法としては、例えば、半田付けによる接続、圧着バレルによる接続、音叉端子部による接続、オスメス嵌合による接続等、いずれを用いてもよい。
【００１４】
前記コネクタハウジングの通信線接続側に被せるカバー材を設け、該カバー材の内面に通信線配線溝を設けると共に、該通信線配線溝の中間部に切断部収容凹部を連続して設けており、
前記第１、第２切断刃付き圧接端子の切断刃は前記切断部収容凹部の両側部分に突出し、前記通信線の切断部分は切断部収容凹部に収容保持され、前記通信線配線溝に圧接刃が挿入保持されることが好ましい。
【００１５】
前記のように、通信線接続側に被せるカバー材の内面に通信線配線溝を設け、該通信線配線溝に圧接刃を挿入保持することにより、該通信線配線溝に安定保持された通信線の絶縁被覆に圧接刃を精度よく切り込んで、芯線と圧接刃とを圧接接続させることができる。また、通信線配線溝の中間部に切断部収容凹部を設け、切断部収容凹部の両側部分に切断刃を突出させることにより、切断刃によって切断された切断部をすべて前記切断部収容凹部に収容することができる。よって、切断部をコネクタ内に散乱させることがなく、切断部収容凹部に収容された切断部をまとめて廃棄することも可能となる。切断刃による確実な切断を可能とするために、（切断部収容凹部の深さ）＞（通信線配線溝の深さ）とすることが好ましい。
【発明の効果】
【００１６】
前述したように、コネクタに内蔵される通信制御ＩＣの第１、第２トランシーバは通信線接続側第１、第２リード部に接続され、本発明では、前記通信線接続側第１、第２リード部に第１、第２切断刃付き圧接端子をそれぞれ接続していると共に、該第１、第２切断刃付き圧接端子の切断刃を隣接配置している。この構成により、通信線接続側第１、第２リード部に接続した第１、第２切断刃付き圧接端子を、連続した通信線にそれぞれ圧接接続すると同時に、前記隣接配置させた切断刃によって圧接接続箇所間の通信線を切断することができる。
【００１７】
したがって、接続する複数の通信制御ＩＣ内蔵コネクタについて、コネクタ毎に第１、第２切断刃付き圧接端子を連続した通信線にそれぞれ圧接接続していくだけで、第１トランシーバと隣接配置されるコネクタの第２トランシーバとを接続し、第２トランシーバと隣接配置されるコネクタの第１トランシーバとを接続することができ、デイジーチェーン配線回路を容易に形成することができる。よって、第１、第２トランシーバに不必要な通信データの送受信を防止し、電装機器の誤作動を防止することができる。また、隣接配置されるコネクタの第１トランシーバと第２トランシーバとを接続するためにコネクタ間を別の通信線で順次繋いでいく必要がないため、作業性を向上させることができる。
【図面の簡単な説明】
【００１８】
【図１】本実施形態における通信制御ＩＣ内蔵コネクタの分解斜視図である。
【図２】第１、第２切断刃付き圧接端子の位置関係を示す要部拡大図である。
【図３】通信制御ＩＣを搭載したハウジング本体に機器接続側カバー材および通信線接続側カバー材を被せて一体化したときのＡ−Ａ線断面図である。
【図４】通信制御ＩＣ内蔵コネクタと通信線との接続構造を示す説明図である。
【図５】従来例を示す図面である。
【図６】（Ａ）はバス配線を示す説明図であり、（Ｂ）はデイジーチェーン配線を示す説明図である。
【図７】（Ａ）は従来例の接続構造を示す説明図であり、（Ｂ）はデイジーチェーン配線回路に接続される通信制御ＩＣ内蔵コネクタに、（Ａ）と同様の接続構造を適用した場合の図である。
【発明を実施するための形態】
【００１９】
以下、本発明の通信制御ＩＣ内蔵コネクタと通信線の接続構造の実施形態を図面を参照しながら説明する。
図１乃至図４は本実施形態を示している。本実施形態における通信制御ＩＣ内蔵コネクタ１は、デイジーチェーン配線回路と接続されると共に、電装機器側のコネクタ（図示せず）と接続して電装機器（図示せず）をデータ通信により独立して分散制御するものである。
【００２０】
通信制御ＩＣ内蔵コネクタ１のコネクタハウジング２は、図１に示すように、ハウジング本体３と、該ハウジング本体３の通信線接続側に被せる通信線接続側カバー材４と、前記ハウジング本体３の電気機器側コネクタとの接続側に被せる機器接続側カバー材５とからなる。
ハウジング本体３には、デイジーチェーン配線回路と接続される通信制御ＩＣ６を収容している。即ち、通信制御ＩＣ６は、図４に示すように、機器接続側リード部７と接続されるコントローラ８を備えると共に、該コントローラ８と接続される１対の第１、第２トランシーバ９ａ、９ｂを備え、該第１、第２トランシーバ９ａ、９ｂを通信制御ＩＣ６の一対の通信線接続側第１、第２リード部１０ａ、１０ｂとそれぞれ接続している。
【００２１】
本実施形態では、前記通信制御ＩＣ６の一対の通信線接続側第１、第２リード部１０ａ、１０ｂを第１、第２切断刃付き圧接端子１１ａ、１１ｂにそれぞれ接続すると共に、該第１、第２切断刃付き圧接端子１１ａ、１１ｂを連続した通信線２０に圧接刃１２ａ、１２ｂで圧接接続し、かつ第１、第２切断刃付き圧接端子１１ａ、１１ｂの隣接配置した切断刃１３ａ、１３ｂで圧接箇所Ａ、Ｂ間の通信線２１を切断する構成としている。
【００２２】
具体的には、ハウジング本体３の通信制御ＩＣ６を収容する凹部の底面３ａに端子取付穴１５ａ、１５ｂを穿設し、第１、第２切断刃付き圧接端子１１ａ、１１ｂの上部側のメス端子部１４ａ、１４ｂを端子取付穴１５ａ、１５ｂに挿入係止すると共に、圧接刃１２ａ、１２ｂならびに切断刃１３ａ、１３ｂが設けられた端子下部側を凹部底面３ａの裏面側に突出させている。この際、第１、第２切断刃付き圧接端子１１ａ、１１ｂの切断刃１３ａ、１３ｂが図２のように隣接配置されるように第１、第２切断刃付き圧接端子１１ａ、１１ｂを端子取付穴１５ａ、１５ｂに取り付けている。
ハウジング本体３の凹部に通信制御ＩＣ６を収容することにより、通信制御ＩＣ６の底部から突出させたタブ状の通信線接続側第１、第２リード部１０ａ、１０ｂが端子取付穴１５ａ、１５ｂに挿入係止された第１、第２切断刃付き圧接端子１１ａ、１１ｂのメス端子部１４ａ、１４ｂに嵌合接続されるようにしている。
【００２３】
なお、本実施形態では送信、受信用の信号線２本とアース線１本からなる３本の通信線２０と通信制御ＩＣ内蔵コネクタ１とを接続させている。よって、通信制御ＩＣ６の一対の第１、第２トランシーバ９ａ、９ｂと接続する通信線接続側第１、第２リード部１０ａ、１０ｂを、図１に示すように、それぞれ３本ずつ突出させていると共に、通信線接続側第１、第２リード部１０ａ、１０ｂと接続する第１、第２切断刃付き圧接端子１１ａ、１１ｂもハウジング本体３の凹部底面３ａよりそれぞれ３本ずつ突設している。
【００２４】
通信線接続側カバー材４の内面には連続した通信線２０を安定保持するための通信線配線溝１６を設けていると共に、該通信線配線溝１６の中間部に通信線配線溝１６より深さが大の切断部収容凹部１７を設けている。本実施形態では、３本の通信線２０を配線するため、３本の通信線配線溝１６を平行して設けている。
【００２５】
通信線配線溝１６に通信線２０を配線した通信線接続側カバー材４を、通信制御ＩＣを収容し通信線接続側第１、第２リード部１０ａ、１０ｂと接続した第１、第２切断刃付き圧接端子１１ａ、１１ｂを通信線配線側に突出させているハウジング本体３に組み付けることにより、図３に示すように、第１、第２切断刃付き圧接端子１１ａ、１１ｂの圧接刃１２ａ、１２ｂが通信線配線溝１６に挿入保持され、通信線配線溝１６に保持された通信線２０の絶縁被覆に圧接刃１２ａ、１２ｂが精度よく切り込んで、芯線（図示せず）と圧接刃１２ａ、１２ｂとが圧接接続される。また同時に、切断部収容凹部１７の両側部分に第１、第２切断刃付き圧接端子１１ａ、１１ｂの切断刃１３ａ、１３ｂが突出され、圧接箇所Ａ、Ｂ間の通信線２１を切断して、切断部が切断部収容凹部１７に収容される。
【００２６】
第１、第２切断刃付き圧接端子１１ａ、１１ｂは導電性金属片を屈曲加工して形成している。第１、第２切断刃付き圧接端子１１ａ、１１ｂの切断刃１３ａ、１３ｂは、スロット１２ａ−１、１２ｂ−１を切り込んだ圧接刃１２ａ、１２ｂの形成面と所要の隙間をあけて略平行に形成しており、切断刃１３ａ、１３ｂの形状は先端を鋭利な刃物状とし、圧接刃１２ａ、１２ｂによる通信線２０の圧接接続と同時に切断刃１３ａ、１３ｂによる圧接箇所Ａ、Ｂ間の通信線２１の切断を可能としている。本実施形態では、第１、第２切断刃付き圧接端子１１ａ、１１ｂの材質として、鉄を含有させた銅合金を用いている。
【００２７】
一方、機器接続側カバー材５には電気機器側のコネクタ（図示せず）の端子と通信制御ＩＣ６の機器接続側リード部７とを接続する機器側接続部１８を設けており、通信制御ＩＣ６を収容したハウジング本体３に機器接続側カバー材５を組み付けることにより、通信制御ＩＣ６の上面より突出した機器接続側リード部７が機器側接続部１８の各端子収容室１８ａ内に挿入係止されるようにしている（図３参照）。
なお、本実施形態では、通信制御ＩＣ６の上面より機器接続側リード部７を４本突出させ、機器接続側リード部７を挿入する端子収容室１８ａも４個設けている。
【００２８】
前記のように、コネクタ１に内蔵される通信制御ＩＣ６の第１、第２トランシーバ９ａ、９ｂは通信線接続側第１、第２リード部１０ａ、１０ｂに接続され、本実施形態では、通信線接続側第１、第２リード部１０ａ、１０ｂに第１、第２切断刃付き圧接端子１１ａ、１１ｂをそれぞれ接続していると共に、該第１、第２切断刃付き圧接端子１１ａ、１１ｂの切断刃１３ａ、１３ｂを隣接配置している。この構成により、通信線接続側第１、第２リード部１０ａ、１０ｂに接続した第１、第２切断刃付き圧接端子１１ａ、１１ｂを連続した通信線２０に圧接刃１２ａ、１２ｂでそれぞれ圧接接続すると同時に、前記隣接配置させた切断刃１３ａ、１３ｂによって圧接箇所Ａ、Ｂ間の通信線２１の切断も行うことができる。
【００２９】
したがって、接続する複数の通信制御ＩＣ内蔵コネクタ１について、コネクタ毎に第１、第２切断刃付き圧接端子１１ａ、１１ｂを連続した通信線２０にそれぞれ圧接接続していくだけで、第１トランシーバ９ａと隣接配置されるコネクタの第２トランシーバ９ｂとを接続し、第２トランシーバ９ｂと隣接配置されるコネクタの第１トランシーバ９ａとを接続することができ、デイジーチェーン配線回路を容易に形成することができる。よって、第１、第２トランシーバ９ａ、９ｂに不必要な通信データの送受信を防止し、電装機器の誤作動を防止することができる。また、隣接配置されるコネクタ１の第１、第２トランシーバ９ａ、９ｂを接続するためにコネクタ間を別の通信線で順次繋いでいく必要がないため、作業性を向上させることができる。
【符号の説明】
【００３０】
１  通信制御ＩＣ内蔵コネクタ
２  コネクタハウジング
３  ハウジング本体
４  通信線接続側カバー材
５  機器接続側カバー材
６  通信制御ＩＣ
７  機器接続側リード部
８  コントローラ
９ａ、９ｂ  第１、第２トランシーバ
１０ａ、１０ｂ  通信線接続側第１、第２リード部
１１ａ、１１ｂ  第１、第２切断刃付き圧接端子
１２ａ、１２ｂ  圧接刃
１３ａ、１３ｂ  切断刃
１６  通信線配線溝
１７  切断部収容凹部
２０  （連続した）通信線
２１  圧接箇所間の通信線
【図１】
2012074210.tif 000003
【図２】
2012074210.tif 000004
【図３】
2012074210.tif 000005
【図４】
2012074210.tif 000006
【図５】
2012074210.tif 000007
【図６】
2012074210.tif 000008
【図７】
2012074210.tif 000009